(57)【要約】      （修正有）【課題】再送処理時間を短縮でき、効率的な再送処理を行う移動通信装置を提供する。【解決手段】受信側の移動通信装置は、送信側の移動通信装置より複数の処理単位時間にわたって送信されるデータを受信して蓄積し、当該データの再送時に、蓄積されたデータと複数の処理単位時間にわたって再送されるデータとを当該処理単位時間毎に合成処理する再送制御機能を有する移動通信装置であって、処理単位時間毎に合成処理されたデータの受信エラーの有無を判定する受信判定処理を実施し、当該受信判定結果を処理単位時間毎に送信側装置に通知する。【選択図】図２
2008160742.tif 000002
【特許請求の範囲】
【請求項１】
送信側装置より複数の処理単位時間にわたって送信されるデータを受信して蓄積し、当該データの再送時に、蓄積されたデータと複数の処理単位時間にわたって再送されるデータとを当該処理単位時間毎に合成処理する再送制御機能を有する移動通信装置において、
前記処理単位時間毎に前記合成処理されたデータの受信エラーの有無を判定する受信判定処理を実施する受信判定部と、
当該受信判定結果を前記処理単位時間毎に前記送信側装置に通知する送信部とを備えることを特徴とする移動通信装置。
【請求項２】
請求項１において、さらに、
受信するデータの受信品質を計測する計測部を備え、
前記送信部は、当該計測結果を前記送信側装置に通知することを特徴とする移動通信装置。
【請求項３】
請求項１において、
複数の処理単位時間にわたって合成処理されるデータに対する前記処理単位時間毎の受信判定処理が完了する前に、前記受信判定部が受信エラーなしの正常判定と判定した場合、前記受信判定部は、当該正常判定と判定されたタイミング以降の当該データについての受信判定処理を中止することを特徴とする移動通信装置。
【請求項４】
受信側装置に対して複数の処理単位時間にわたってデータを送信し、前記受信側装置からの受信判定結果に基づいて前記データを再送する再送制御機能を有する移動通信装置において、
前記受信側装置から前記処理単位時間ごとの受信判定結果を受信する受信部と、
前記データについてのすべての受信判定結果がエラーありの異常判定である場合、前記データを再送する再送制御部とを備えることを特徴とする移動通信装置。
【請求項５】
請求項４において、
前記受信部は、前記受信側装置で受信されたデータの前記処理単位時間毎の受信品質を前記受信側装置から受信し、
前記再送制御部は、前記データを再送する場合、前記データを構成する複数の処理単位時間単位データを前記受信品質の低い順に送信することを特徴とする移動通信装置。
【請求項６】
請求項４において、
複数の処理単位時間にわたって再送されるデータの再送が完了する前に、前記受信部が、前記受信側装置より受信エラーなしの正常判定結果を受信すると、
前記再送制御部は、当該受信正常判定結果を受信したタイミング以降のデータの再送を中止することを特徴とする移動通信装置。
【請求項７】
複数の処理単位時間にわたって送信されるデータを受信して蓄積し、当該データの再送時に、蓄積されたデータと複数の処理単位時間にわたって再送されるデータとを当該処理単位時間毎に合成処理する再送制御機能を有する受信側装置と、
前記受信側装置に対して複数の処理単位時間にわたってデータを送信し、前記受信側装置からの受信判定結果に基づいて前記データを再送する再送制御機能を有する送信側装置とを備え、
前記受信側装置は、
前記処理単位時間毎に前記合成処理されたデータの受信エラーの有無を判定する受信判定処理を実施する受信判定部と、
当該受信判定結果を前記処理単位時間毎に前記送信側装置に通知する送信部とを備え、
前記送信側装置は、
前記受信側装置から前記処理単位時間ごとの受信判定結果を受信する受信部と、
前記データについてのすべての受信判定結果がエラーありの異常判定である場合、前記データを再送する再送制御部とを備えることを特徴とする移動通信システム。
【発明の詳細な説明】
【技術分野】
【０００１】
本発明は、パケットデータの再送制御機能を有する移動通信装置に関し、特に、再送制御の際に、既に受信し蓄積しているパケットデータと再送されたパケットデータとを合成するパケット合成処理を行う移動通信装置に関する。
【背景技術】
【０００２】
移動通信システムは、インターネット接続などモバイルマルチメディアサービスへの対応のためのデータ通信の高速化が要求されている。高速データ通信のためにパケットデータを効率的に伝送する手段として、再送制御がある。再送制御（ARQ : Automatic Repeat reQuest）は、受信側が受信したパケットのエラーを検出した場合、送信側に対してそのパケットを再度送信するように要求する技術である。
【０００３】
さらに、ARQとエラー訂正符号（FEC : Forward Error Correction）を組み合わせたハイブリッドARQ（H-ARQ）が実用化されている。現在、第３世代(３G)の無線通信システムとして、W-CDMAシステムが普及しており、例えば、このW-CDMAのデータ通信を高速化（最大14Mbps）したHSDPA(High-Speed Downlink Packet Access)にも、H-ARQが採用されている。
【０００４】
H-ARQは、受信側でエラー検出の前にエラー訂正処理を実施し、受信成功（エラーなし）判定した場合は、ACK（正常判定）を送信側に送信し、受信失敗（エラーあり）判定した場合は、NACK（異常判定）を送信側に送信し、パケットデータの再送を要求する。送信側は、受信したNACKに対応するパケットデータを再送する。
【０００５】
また、H-ARQでは、受信側は、エラー検出されたパケットデータをバッファに蓄積しておき、再送されたパケットデータと合成するパケット合成処理が行われる。再送されたパケットデータを受信した際に、バッファ内のパケットデータと合成することにより、受信品質が改善し、再送回数が増えるほど改善の度合いが高くなり、パケットデータの受信成功率が高まる。
【０００６】
図１は、従来の再送処理を説明する図である。送信側及び受信側の各移動通信装置での再送処理は、複数（ｎ＞２）のTTI(Transmission Time Interval)（図１では、一例として４TTI）分のデータ長単位で行われ、送信されるデータのデータ長単位で、データの復号処理、受信判定処理、再送要求(ACK/NACK通知)処理などが実施される。
【０００７】
１無線フレーム（各移動通信装置でパケットデータを送受信する基本単位）を１TTI(Transmission Time Interval：各ユーザに割り当てられる最小単位の伝送時間)とすると、nTTIのデータ長ごとに再送処理が実施される。なお、送信側が、複数のTTIにわたるパケットデータのうちの最後のTTIのパケットデータを送信する時間から、受信側からの受信判定結果（ACK/NACK）を受信するまでの時間をRTT(Round Trip Time)と呼ぶ。図１におけるRTT＝６無線フレーム＝６TTIである。
【０００８】
図１において、送信側から４TTIのデータが送信される。受信側では、各TTI毎のデータを受信するごとに、受信したデータをTTI単位で再送合成バッファに蓄積する。例えば、図示されるように、受信側は、最初に、４TTI分のデータ＃１における最初のTTIのデータ＃１−１を蓄積し、次に、２番目のTTIのデータ＃１−２を蓄積し、続いて、３番目のTTIのデータ＃１−３を蓄積し、最後に４番目のTTIのデータ＃１−４を蓄積する。受信側は、４番目のTTIのデータ＃１−４を蓄積した次のTTIの期間で、最初のデータ＃１−１に付されたヘッダ（図中のH）から復号パラメータを取得し、４TTI分のデータ＃１に対して、復号処理及びエラー訂正処理を実施した後、受信判定し、さらに次のTTIで、その結果を送信側に通知する。
【０００９】
このとき、図示されるように、最初のTTIのデータ＃１−１にエラーが検出され、受信判定結果としてNACK（受信失敗）が通知されると、送信側は、当該NACKの受信に応じて、４TTI分のデータ＃１を再送する。
【００１０】
受信側は、１TTI分のデータ受信毎に、再送合成バッファ内にすでに蓄積されているデータと受信したデータとを合成処理し、その合成されたデータを再送合成バッファに蓄積する。この合成処理を４回繰り返すことで、再送データが合成データとして蓄積され、この合成データに対して、再度、復号処理、エラー訂正処理及び受信判定処理を行う。図１では、受信判定結果としてACK（受信成功）が通知されると、送信側は、次のデータ＃２の送信に移る。
【００１１】
移動通信におけるデータの再送制御については、例えば、下記特許文献１に記載されている。
【特許文献１】特開２００５−１５１０１３号公報
【発明の開示】
【発明が解決しようとする課題】
【００１２】
上述のように、１回のデータ送受信が複数のTTIを必要とし（データ長が複数のTTIにわたり）、複数のTTI分のデータを受信後に受信判定を実施する再送制御が行われる場合、次のような問題が生じる。
【００１３】
すなわち、複数のTTIにおける１つのTTIのデータのみにエラーが検出された場合でも（図１では、最初のTTIのデータ＃１−１のみにエラー検出される）、複数のTTI分のデータすべてを再送する必要があり、エラー検出されなかったデータもかならず重複して送信され、無線リソースが有効利用されていない。
【００１４】
また、受信側では、複数のTTI分のデータすべてを受信するまで受信判定処理を行わないので、送信側は、最後のTTIを送信してから受信判定結果を受信するまで時間（RTT）が長くなる。すなわち、データが送信されない空き時間が長くなり、再送処理に時間がかかる。
【００１５】
そこで、本発明の目的は、再送処理時間を短縮でき、効率的な再送処理を行う移動通信装置を提供することにある。
【課題を解決するための手段】
【００１６】
上記目的を達成するための本発明の受信側の移動通信装置は、送信側装置より複数の処理単位時間にわたって送信されるデータを受信して蓄積し、当該データの再送時に、蓄積されたデータと複数の処理単位時間にわたって再送されるデータとを当該処理単位時間毎に合成処理する再送制御機能を有する移動通信装置において、前記処理単位時間毎に前記合成処理されたデータの受信エラーの有無を判定する受信判定処理を実施する受信判定部と、当該受信判定結果を前記処理単位時間毎に前記送信側装置に通知する送信部とを備えることを特徴とする。
【００１７】
上記目的を達成するための本発明の送信側の移動通信装置は、受信側装置に対して複数の処理単位時間にわたってデータを送信し、前記受信側装置からの受信判定結果に基づいて前記データを再送する再送制御機能を有する移動通信装置において、前記受信側装置から前記処理単位時間ごとの受信判定結果を受信する受信部と、前記データについてのすべての受信判定結果がエラーありの異常判定である場合、前記データを再送する再送制御部とを備えることを特徴とする。
【発明の効果】
【００１８】
本発明によれば、複数の処理単位時間にわたってデータが送受信される場合、受信側で処理単位時間毎にデータのエラーの有無を判定する受信判定を行い、その受信判定結果を送信側に通知することで、再送処理時間が短縮され、効率的な再送処理が実現される。
【発明を実施するための最良の形態】
【００１９】
以下、図面を参照して本発明の実施の形態について説明する。しかしながら、かかる実施の形態例が、本発明の技術的範囲を限定するものではない。
【００２０】
図２は、本発明の実施の形態における移動通信システムの構成例を示す図である。移動通信システムは、送信側の移動通信装置と受信側の移動通信装置とを備えて構成され、移動通信装置は、移動通信システムにおける移動機及び無線基地局装置である。移動機から無線基地局装置への上り通信の場合、移動機が送信側の移動通信装置（以下、送信側装置）１０となり、無線基地局装置が受信側の移動通信装置（以下、受信側装置）２０となる。また、無線基地局から移動機への下り通信の場合は、無線基地局装置が送信側装置１０となり、移動機が受信側装置２０となる。以下では、通信方向を区別しないため、移動機及び無線基地局装置は、それぞれ送信側装置１０と受信側装置２０の一方と他方であるものとして説明する。
【００２１】
送信側装置１０において、再送バッファ１１は、送信するデータを蓄積するバッファであり、データ送信後においても受信側装置２０より当該データのＡＣＫを受信するまで、当該データを蓄積する。エラー判定情報付加部１２は、データにＣＲＣなどのエラー判定情報を付加する。さらに、符号化処理部１３は、エラー訂正符号（ＦＥＣ）を含む符号化パラメータによりデータを符号化する。エラー訂正符号を含む符号化パラメータは、符号化パラメータ生成部１６より供給される。変調部１４は、符号化されたデータを変調し、送信する。再送制御部１５は、受信側装置２０からのＡＣＫ／ＮＡＣＫに基づいて再送バッファ１１におけるデータの蓄積制御を行い、さらに、符号化パラメータ生成部１６を制御する。復号パラメータ生成部１７は、符号化パラメータを符号化パラメータ生成部１６より取得し、符号化パラメータに対応する復号パラメータを生成し、変調部１４は、復号パラメータを付してデータを送信する。受信部１８は、受信側装置２０より、ACK/NACK及び受信されたデータについてのSINRを受信する。
【００２２】
受信側装置２０の変調部２１は、送信側装置１０からのデータを受信すると、データを復調し、復号パラメータ抽出部２６が、データに付加された復号パラメータを抽出し、復号処理部２３に供給する。さらに、SINR(Signal Noise Ratio)計測部２５が、受信されたデータのSINRを計測する。復調されたデータは、再送合成バッファ２２に蓄積され、復号処理部２３は、再送合成バッファ２２に蓄積されたデータに対してエラー訂正を行って復号する。受信判定部２４は、エラー判定情報に基づいて、復号されたデータにエラーが含まれているかどうかの受信判定を行う。受信判定部２４は、エラーが含まれている場合は、受信失敗と判定し、送信部２７がNACKを送信側装置１０に送信し、エラーが含まれていない場合は、受信成功と判定し、送信部２７がACKを送信側装置１０に送信する。送信部２７は、SINR計測部２５で計測されたSINRを送信側装置１０に送信する。
【００２３】
このとき、上述の従来技術で述べたように、１回のデータ送受信が複数のTTIにわたって行われる場合、従来、複数のTTIにわたるデータをすべて受信し、再送合成バッファ２２に蓄積した後に、その複数のTTIにわたるデータに対して復号処理を行い、受信判定を行うが、本発明の実施の形態では、受信したデータについて、受信側装置２０の復号処理部２３は、処理単位時間であるTTI毎にデータの復号処理を行い、受信判定部２４は、TTI毎に受信判定を行って、TTI毎にACK/NACKを送信することを特徴とする。以下、さらに詳しく説明する。
【００２４】
図３は、本発明の実施の形態における第一の再送処理を説明する図である。図３では、図１の処理と同様に、１無線フレームを１TTIとし、１回の送受信は４TTIの時間行われる。また、RTTは６無線フレーム＝６TTIである。なお、本発明では、TII毎に復号処理、受信判定及びACK/NACK送信が行われるので、TTI毎のデータが送信されてから、そのデータに対応するACK/NACKを受信するまでの期間がRTTとなるが、この期間は、図１の場合と同様に６TTIである。
【００２５】
図３において、送信側装置１０から４TTIの時間をかけてデータが送信される。送信側装置１０から送信されたデータは、２TTI（＝２無線フレーム）後に受信側装置２０により受信される。受信側装置２０は、各TTI毎のデータを受信するごとに、受信したデータをTTI単位で再送合成バッファ２２に蓄積する。例えば、図示されるように、無線フレームF3で、最初に、４TTI分のデータ＃１における最初のTTIのデータ＃１−１を蓄積し、次の無線フレームF4で、２番目のTTIのデータ＃１−２を蓄積し、続いて、３番目のTTIのデータ＃１−３を蓄積し、最後に４番目のTTIのデータ＃１−４を蓄積する。
【００２６】
そして、本発明の受信側装置２０の復号処理部２３は、TTI毎に復号処理を実施する。すなわち、最後のTTIのデータ＃１−４の受信を待たずに、無線フレームF3で最初のTTIのデータ＃１−１を受信し、それが再送合成バッファ２２に蓄積されると、復号処理部２３は、次の無線フレームF4で、再送合成バッファ２２に蓄積されているデータに対する復号処理を行う。なお、この次の無線フレーム期間F4では、２番目のTTIのデータ＃１−２が受信され、再送合成バッファ２２に蓄積されるが、復号処理されるデータは、この前の無線フレームF3時点で再送合成バッファ２２に蓄積されているデータである。この場合、無線フレームF3では、データ＃１−１のみ再送合成バッファ２２に蓄積され、４TTI分のデータがまだ蓄積されていないので、復号に失敗し、受信判定部２４は、受信失敗と判定し、次の無線フレーム期間F5において、NACKを送信側装置１０に送信する。受信側装置２０から送信されたACK/NACKは、２TTI（＝２無線フレーム）後に送信側装置１０の受信部１８により受信される。
【００２７】
同様に、無線フレームF5においても、復号処理部２３は、再送合成バッファ２２に蓄積されたデータ＃１−１及び＃１−２に対して復号処理を行うので（データ＃１−３ｔｐ＃１−４がまだ受信されていない）、復号に失敗し、受信判定部２４は、受信失敗と判定し、受信側装置２０の送信部２７は、NACKを送信側装置１０に送信する。さらに、無線フレームF6においても、復号処理部２３は、再送合成バッファ２２に蓄積されたデータ＃１−１、＃１−２及び＃１−３に対して復号処理を行うので（データ＃１−４はまだ受信されていない）、復号に失敗し、受信判定部２４は、受信失敗と判定し、送信部２７は、NACKを送信側装置１０に送信する。
【００２８】
４TTI分のデータは、無線フレーム期間F6で再送合成バッファ２２に蓄積されるので、無線フレーム期間F7では、４TTI分のデータ＃１−１〜＃１−４に対して復号処理を行う。しかしながら、図３の例では、データ＃１−１に訂正不可能なエラーが含まれており、復号に失敗し、結果、受信判定部２４は受信失敗と判定して、送信部２７はNACKを送信側装置２０に送信する。再送合成バッファ２２に蓄積されたデータは、ACKが送信されるまで蓄積されたまま残り、消去されない。データ＃１−２〜＃１−４にはエラーが含まれていないものとする。
【００２９】
送信側装置１０は、データを送信してから、RTT後に受信するACK/NACKを監視しており、無線フレームF10で４TTI分のすべてのデータの復号処理に対する受信判定結果としてNACKを受信すると、データ＃１の再送を開始する。
【００３０】
受信側装置２０は、無線フレームF12において、再送されたデータにおける最初のTTIのデータ＃１−１を受信し、再送合成バッファ２２に蓄積する。すなわち、無線フレームF3で蓄積されたデータ＃１−１は、再送されたデータ＃１−１と合成される。このとき、再送されたデータ＃１−１はエラーを含まないものとする。従って、合成されたデータ＃１−１にはエラーが含まれない。
【００３１】
復号処理部２３は、無線フレームF13で復号処理を行う。再送されたデータについては、まだデータ＃１−１のみしか受信していないが、再送合成バッファ２２には、初回送信分のデータ＃１−２〜＃１−４が蓄積されているので、無線フレームF13のタイミングで、データ＃１−１〜＃１−４からなる４TTI分のデータの復号処理が可能であり、何れのデータにもエラーがないので、受信判定部２４は、受信成功と判定し、無線フレームF14でACKが送信される。これにより、送信側装置１０は、無線フレームF16のタイミングで、データ＃１の受信成功を認識できるので、次のデータ＃２を送信することができるようになる。
【００３２】
また、再送データにおけるデータ＃１−２〜＃１−４も、それぞれ合成処理されて再送合成バッファ２２に蓄積され、無線フレームF14、F15、F16で復号処理され、ACKが送信される。
【００３３】
従来では、無線フレームF15で再送データにおけるデータ＃１−４を受信し、再送合成バッファ２２に蓄積し、無線フレームF16で復号処理して、受信成功と判定され、無線フレームF17でACKが送信されるので、送信側装置１０は、無線フレームF19のタイミングで、データ＃１の受信成功を認識する。これに対して、図３に示す本発明の実施の形態では、複数のTTIにわたるすべての再送データを受信後に復号処理を行うのではなく、TTI毎に復号処理を行うことで、送信側装置１０は無線フレームF16でACKを受信することができ、３TTIの時間短縮が実現される。送信側装置１０は、ACKを受信する無線フレームF16から次のデータ＃２の送信を開始することができる。
【００３４】
このように、本発明では、より早く再送における受信成功判定を行い、送信側装置１０にACKをより早く通知することができ、再送処理時間が短縮される。送信側装置１０は、再送による受信成功判定を受信するまで、次のデータを送信できないが、本発明によれば、送信側装置１０は、再送結果を待つ期間が短くなり、無線リソースを効率的に利用することができるようになる。
【００３５】
図３の例では、初回送信において、データ＃１−２及び＃１−３にエラーが含まれる場合、従来と比較して、再送処理時間を短縮することができるが、最後のTTIのデータ＃１−４にエラーが含まれている場合は、従来と同様の再送処理時間となる。しかしながら、最後のTTI以外のデータにエラーが含まれている場合は、再送処理時間の短縮が実現される。
【００３６】
図４は、第一の再送処理の別の例を説明する図である。図４では、再送データにもエラーが含まれている場合を示し、具体的には、初回送信時にエラーが含まれたデータ（＃１−１）とは別のデータ＃１−３及び＃１−４にエラーが含まれている場合である。
【００３７】
この場合であっても、データ＃１−３及び＃１―４については、初回送信時にエラーを含んでいない正常なデータが受信され、蓄積されている。従って、エラーを含んでいない再送データ＃１−１を受信、それを合成処理した後の復号処理することにより受信成功判定されるので、初回送信時にエラーを含んでいないデータについて、再送時にエラーが含まれていても、ACKを送信することができる。もちろん、初回送信時にエラーを含んでいるデータについて、再送時にもエラーが含まれている場合は、再送データの合成処理を行っても、受信失敗判定されるので、当該データについて、エラーを含まないデータを受信するまで、再送処理が繰り返される。
【００３８】
図５は、本発明の実施の形態における第二の再送処理を説明する図である。図５の第二の再送処理は、図３の第一の再送処理において、受信側装置２０のSINR計測部２５で計測する受信データのSINRに基づいて、送信側装置１０で再送順序を並び替える処理を実施するものである。
【００３９】
図５においても、図３の場合と同様に、１無線フレームを１TTIとし、１回の送受信は４TTIの時間行われる。また、RTTは６無線フレーム＝６TTIである。また、初回の送信において、データ＃１−３と＃１−４にエラーが含まれているものとする。従って、無線フレームF4〜F7における初回の送信におけるTTI毎の復号処理は失敗し、NACKが送信され、データ＃１は再送される。
【００４０】
このとき、再送されるデータは、受信側装置２０で計測されるSINRにより、受信品質が低い順に並べ替えられて送信される。
【００４１】
エラーを含むデータは受信品質が低い。すなわち、SINRが悪いほど、エラーを含んでいる可能性が高い。受信側装置２０のSINR計測部２５は、各TTI毎のデータのSINRを計測すると、その値を送信側装置１０に通知し、送信側装置１０の再送制御部１５は、その値を保持しておく。そして、送信側装置１０の再送制御部１５は、受信側装置２０からTTI毎のデータすべて（＃１−１〜＃１−４）に対しNACKを受信すると、データ＃１−１〜＃１−４を再送するが、そのとき、保持しているSINRを参照して、再送するデータ＃１−１〜＃１−４の再送順序を決定する。具体的には、再送順序はSINRの悪い順であり、図５の例では、＃１−３、＃１−４、＃１−２、＃１−１の順となる。図５の例では、＃１−３及び＃１−４にエラーが含まれているので、エラーが含まれていないデータ＃１−１及び＃１−２に比べてSINRは悪い。
【００４２】
送信側装置１０は、SINRに基づいて決定した再送順序によりTTI毎のデータを再送する。再送順序が入れ替わるので、受信側装置２０では、受信したTTI毎のデータを識別して、対応するデータと合成処理する必要があるので、送信側装置１０は、再送するデータのヘッダに再送順序に関する情報を含ませて送信する。
【００４３】
図５の例において、受信側装置２０は、無線フレームF12で、再送における最初のTTI毎のデータ＃１−３を受信し、既に蓄積されているデータ＃１−３と合成処理して、再送合成バッファに蓄積する。再送されたデータ＃１−３はエラーを含まず、合成処理されたデータ＃１−３はエラーを含まないデータとなるが、無線フレームF13で行われる復号処理では、データ＃１−４のエラーが解消されていないので、復号に失敗し、無線フレームF14では、NACKが送信される。
【００４４】
続いて、受信側装置２０は、無線フレームF13で、TTI毎のデータ＃１−４を受信し、既に蓄積されているデータ＃１−４と合成処理して、再送合成バッファ２２に蓄積する。再送されたデータ＃１−４はエラーを含まず、合成処理されたデータ＃１−４はエラーを含まない。これにより、すべてのTTI毎のデータがエラーを含まないので、無線フレームF14で行われる復号処理では、復号に成功し、無線フレームF15では、ACKが送信される。
【００４５】
送信側装置１０は、無線フレームF17でACKを受信するので、このタイミングから次ぎのデータ＃２の送信を開始することができる。再送順序を並べ替えない場合、図３の場合のように、データ＃１−４のような最後のTTI毎のデータにエラーが含まれる場合、TTI毎に復号処理、受信判定を実施しても、再送データのすべてを受信するまで、受信成功判定されず、再送処理時間は短縮されないが、第二の再送処理例では、エラーを含んでいる可能性の高いデータから順に再送するので、TTI毎に復号処理、受信判定処理することで、最後のTTI毎のデータにエラーが含まれている場合でも、再送処理時間を短縮することができる。
【００４６】
図６は、本発明の実施の形態における第三の再送処理を説明する図である。図３及び図５で説明した第一及び第二の再送処理では、RTT＝６（TTI毎のデータを送信してから、そのACK/NACKを受信するまでの時間）が、１回のデータ送受信のデータ数ｎ（TTIの長さ）＝４より長い場合であるが、反対にRTT＜ｎとなる場合では、再送データの送信中に、ACKを受信する場合がある。
【００４７】
図６において、RTT=6であるところ、一回のデータの送受信TTI=10の場合、無線フレームF24で、送信側装置１０は、再送データすべての送信が完了する前に、ACKを受信する。図５の例では、初回送信において、データ＃１−３、＃１−４及び＃１−７にエラーが含まれており、第二の再送処理で説明したSINR判定による再送順序の並べ替えにより、これらのデータを先に送信することにより、無線フレームF21での復号処理により、受信成功判定がなされ、送信側装置１０は、データ＃１−９及び＃１−１０の再送前にACKを受信する。
【００４８】
送信側装置１０は、ACKを受信すると、再送データが残っている場合でも再送データの送信を中止し、次のデータの送信を開始する。ACKを受信したことで、再送データの送信が不要となり、残りの再送データの送信を中止し、次のデータを送信することで、再送処理時間が短縮され、また、無線リソースの効率的な利用が実現される。
【００４９】
ACK受信後も、再送データを受信し、再送データの合成処理を行うことで、エラーを含んでいないデータの更なる品質向上が図れるが、再送処理時間の短縮のために、再送データの送信を途中で中止することで、過剰品質も防止できる。
【００５０】
第三の再送処理では、必ずしも送信側装置１０で再送順序の並べ替えが行われなくともよい。初回送信において、送信順序が早いデータ（例えば、＃１−１や＃１−２など）にエラーが含まれている場合は、再送時に、初回送信と同一順序で再送した場合でも、図６のように、送信側装置１０は再送途中でACKを受信することとなり、ACK受信後の再送を中止することで、再送処理時間を短縮できる。
【００５１】
上述の第一、第二及び第三の処理では、TTI毎のデータをTTI毎に受信するたびに復号処理、受信判定処理を行い、受信成功判定後も、受信するTTI毎の再送データに基づいて受信判定を行う例を示しているが、一旦、受信成功判定した後は、受信するTTI毎の再送データの合成処理、復号処理、受信判定処理を実施しなくともよい。
【００５２】
また、第一、第二及び第三の処理では、初回送信時からTTI毎の復号処理、受信判定処理を行うが、初回送信では、複数のTTIにわたるデータすべてを受信するまで、受信判定できないので、TTI毎の復号処理、受信判定処理を行わずに、従来どおり、複数TTIにわたるデータすべてを受信してから、復号処理、受信判定処理を行ってもよい。ただし、第一、第二及び第三の再送処理のように、初回送信時においても、TTI毎に復号処理、受信判定処理を行うことで、初回送信処理と再送処理とを区別することなく、同一の処理で対応可能となる。
【００５３】
送信側装置１０は、複数TTIにわたるデータにおける各TTIのデータの送信タイミングを認識しているので、初回送信のデータ又は再送データを区別することなく、送信処理を行うことができる。具体的には、送信側装置１０は、最初のTTIのデータ送信からRTT経過時から最後のTTIデータ送信からRTT経過時までの期間内で、ACKを受信した場合、送信を完了し（再送時は再送完了し）、当該期間内にACKを受信しなかった場合は、データの再送処理（前回再送時は、再々送処理）を実施する。
【００５４】
本発明は、ハイブリッドARQ（H-ARQ）に限らず、再送されるデータをTTI単位で合成処理する再送制御に適用可能である。
【００５５】
（付記１）
送信側装置より複数の処理単位時間にわたって送信されるデータを受信して蓄積し、当該データの再送時に、蓄積されたデータと複数の処理単位時間にわたって再送されるデータとを当該処理単位時間毎に合成処理する再送制御機能を有する移動通信装置において、
前記処理単位時間毎に前記合成処理されたデータの受信エラーの有無を判定する受信判定処理を実施する受信判定部と、
当該受信判定結果を前記処理単位時間毎に前記送信側装置に通知する送信部とを備えることを特徴とする移動通信装置。
【００５６】
（付記２）
付記１において、さらに、
受信するデータの受信品質を計測する計測部を備え、
前記送信部は、当該計測結果を前記送信側装置に通知することを特徴とする移動通信装置。
【００５７】
（付記３）
付記１において、
複数の処理単位時間にわたって合成処理されるデータに対する前記処理単位時間毎の受信判定処理が完了する前に、前記受信判定部が受信エラーなしの正常判定と判定した場合、前記受信判定部は、当該正常判定と判定されたタイミング以降の当該データについての受信判定処理を中止することを特徴とする移動通信装置。
【００５８】
（付記４）
受信側装置に対して複数の処理単位時間にわたってデータを送信し、前記受信側装置からの受信判定結果に基づいて前記データを再送する再送制御機能を有する移動通信装置において、
前記受信側装置から前記処理単位時間ごとの受信判定結果を受信する受信部と、
前記データについてのすべての受信判定結果がエラーありの異常判定である場合、前記データを再送する再送制御部とを備えることを特徴とする移動通信装置。
【００５９】
（付記５）
付記４において、
前記受信部は、前記受信側装置で受信されたデータの前記処理単位時間毎の受信品質を前記受信側装置から受信し、
前記再送制御部は、前記データを再送する場合、前記データを構成する複数の処理単位時間単位データを前記受信品質の低い順に送信することを特徴とする移動通信装置。
【００６０】
（付記６）
付記４において、
複数の処理単位時間にわたって再送されるデータの再送が完了する前に、前記受信部が、前記受信側装置より受信エラーなしの正常判定結果を受信すると、
前記再送制御部は、当該受信正常判定結果を受信したタイミング以降のデータの再送を中止することを特徴とする移動通信装置。
【００６１】
（付記７）
複数の処理単位時間にわたって送信されるデータを受信して蓄積し、当該データの再送時に、蓄積されたデータと複数の処理単位時間にわたって再送されるデータとを当該処理単位時間毎に合成処理する再送制御機能を有する受信側装置と、
前記受信側装置に対して複数の処理単位時間にわたってデータを送信し、前記受信側装置からの受信判定結果に基づいて前記データを再送する再送制御機能を有する送信側装置とを備え、
前記受信側装置は、
前記処理単位時間毎に前記合成処理されたデータの受信エラーの有無を判定する受信判定処理を実施する受信判定部と、
当該受信判定結果を前記処理単位時間毎に前記送信側装置に通知する送信部とを備え、
前記送信側装置は、
前記受信側装置から前記処理単位時間ごとの受信判定結果を受信する受信部と、
前記データについてのすべての受信判定結果がエラーありの異常判定である場合、前記データを再送する再送制御部とを備えることを特徴とする移動通信システム。
【００６２】
（付記８）
付記７において、前記受信側装置は、さらに、
受信するデータの受信品質を計測する計測部を備え、
前記送信部は、当該計測結果を前記送信側装置に通知することを特徴とする移動通信システム。
【００６３】
（付記９）
付記７において、
複数の処理単位時間にわたって合成処理されるデータに対する前記処理単位時間毎の受信判定処理が完了する前に、前記受信判定部が受信エラーなしの正常判定と判定した場合、前記受信判定部は、当該正常判定と判定されたタイミング以降の当該データについての受信判定処理を中止することを特徴とする移動通信システム。
【００６４】
（付記１０）
付記７において、
前記受信部は、前記受信側装置で受信されたデータの前記処理単位時間毎の受信品質を前記受信側装置から受信し、
前記再送制御部は、前記データを再送する場合、前記データを構成する複数の処理単位時間単位データを前記受信品質の低い順に送信することを特徴とする移動通信システム。
【００６５】
（付記１１）
付記７において、
複数の処理単位時間にわたって再送されるデータの再送が完了する前に、前記受信部が、前記受信側装置より受信エラーなしの正常判定結果を受信すると、
前記再送制御部は、当該受信正常判定結果を受信したタイミング以降のデータの再送を中止することを特徴とする移動通信システム。
【図面の簡単な説明】
【００６６】
【図１】図１は、従来の再送制御を説明する図である。
【図２】本発明の実施の形態における移動通信システムの構成例を示す図である。
【図３】本発明の実施の形態における第一の再送処理を説明する図である。
【図４】第一の再送処理の別の例を説明する図である。
【図５】本発明の実施の形態における第二の再送処理を説明する図である。
【図６】本発明の実施の形態における第三の再送処理を説明する図である。
【符号の説明】
【００６７】
１０：送信側装置（移動通信装置）、１１：再送バッファ、１２：エラー判定情報付加部、１３：符号化処理部、１４：変調部、１５：再送制御部、１６：符号化パラメータ生成部、１７：復号パラメータ生成部、１８：受信部、２０：受信側装置（移動通信装置）、２１：復調部、２２：再送合成バッファ、２３：復号処理部、２４：受信判定部、２５：SINR計測部、２７：送信部
【図１】
2008160742.tif 000003
【図２】
2008160742.tif 000004
【図３】
2008160742.tif 000005
【図４】
2008160742.tif 000006
【図５】
2008160742.tif 000007
【図６】
2008160742.tif 000008